(57)【要約】【課題】除湿機能および除湿機能の終了時期が分かることに加え、その内部を積極的に見せるようにし、面白さを与えると共に美観を高め、商品価値を高める上で有利な除湿剤容器を提供すること。【解決手段】底面部１２０６を展開させ、除湿をすべき箇所に、底面部１２０６を下に向けて容器本体１２を自立させる。透湿非透水性シート１８を介して潮解性薬剤１４が湿気を吸収するにつれて液状化し、除湿水２４となり、除湿水２４が装飾体１６の水溶性材料２２に触れた時点で水溶性材料２２が溶け、装飾体１６が水分を吸収して膨張する。そして、除湿水２４の増加に伴って除湿水２４が一定の量となった時点で、装飾体１６が除湿水２４中を浮遊し、この装飾体１６の浮遊は正面部１２０２の下半部１２０２Ａから確実に視認される。【選択図】図２
2019188359.tif 000002
【特許請求の範囲】
【請求項１】
少なくとも一部が透湿非透水材料で形成され残りの部分が非透水性材料で形成され、前記非透水性材料の一部に透明部分を有する容器本体と、
前記容器本体の内部に収容された潮解性薬剤と、
を備える除湿剤容器であって、
吸水することで体積が膨張する装飾体が、圧縮された状態で水溶性材料により包装され、前記容器本体の内部に収容されている、
ことを特徴とする除湿剤容器。
【請求項２】
少なくとも一部が透明な透湿非透水性シートにより形成された容器本体と、
前記容器本体の内部に収容された潮解性薬剤と、
を備える除湿剤容器であって、
吸水することで体積が膨張する装飾体が、圧縮された状態で水溶性材料により包装され、前記容器本体の内部に収容されている、
ことを特徴とする除湿剤容器。
【請求項３】
前記装飾体の比重は、前記潮解性薬剤が湿気を吸収して液状化された除湿水の比重以下である、
ことを特徴とする請求項１または２記載の除湿剤容器。
【請求項４】
前記装飾体を包装する水溶性材料は、前記潮解性薬剤と同じ色で着色されている、
ことを特徴とする請求項１〜３の何れか１項記載の除湿剤容器。
【請求項５】
前記装飾体は、前記潮解性薬剤が湿気を吸収して液状化された除湿水に対して目立つ色で着色されている、
ことを特徴とする請求項１〜４の何れか１項記載の除湿剤容器。
【請求項６】
前記潮解性薬剤は粒状を呈している、
ことを特徴とする請求項１〜５の何れか１項記載の除湿剤容器。
【請求項７】
前記容器本体は、非透水性材料の透明フィルムで形成された正面部と、この正面部に対向し少なくとも一部が透湿非透水材料で形成された背面部と、非透水性材料で形成されそれら正面部と背面部との下部を接続する底面部とを有するスタンディングパウチ袋であり、
圧縮された状態で水溶性材料により包装された前記装飾体は前記潮解性薬剤と共に前記容器本体の内部に収容されている、
ことを特徴とする請求項１または請求項１を引用する請求項３〜６の何れか１項記載の除湿剤容器。
【請求項８】
前記容器本体は合成樹脂製で、上面開口部を有し前記潮解性薬剤を収容すると共に湿気を吸収することで前記潮解性薬剤が液状化された除湿水の下方への滴下を可能とした上収容部と、前記上面開口部を覆う透湿非透水性シートと、前記上収容部の下方に設けられ前記除湿水の収容を可能とした下収容部とを有し、
圧縮された状態で水溶性材料により包装された前記装飾体は前記下収容部に収容されている、
ことを特徴とする請求項１または請求項１を引用する請求項３〜６の何れか１項記載の除湿剤容器。
【発明の詳細な説明】
【技術分野】
【０００１】
本発明は、押し入れ、下駄箱、ロッカーなどに配置され、その場所の湿気を吸収する除湿剤容器に関する。
【背景技術】
【０００２】
従来、この種の除湿剤容器として、例えば、塩化カルシウム、塩化カリウムなどの潮解性薬剤を除湿剤として用い、空気中の水分を潮解性薬剤で吸収し、潮解性薬剤が湿気を吸収することで液化された除湿水を容器の下部に溜めるようにしたものが提案されている。
また、湿気を吸収することでゲル化し、吸湿力が無くなった時点で透明や無色となり、あるいは変色する潮解性薬剤を使用したものも提案されている。
【先行技術文献】
【特許文献】
【０００３】
【特許文献１】実開昭５６−６７７５号公報
【特許文献２】特開平６−１７０１５０号公報
【特許文献３】特開平６−２６２０２８号公報
【発明の概要】
【発明が解決しようとする課題】
【０００４】
しかしながら、従来の何れの除湿剤容器でも、除湿機能が発揮されていることがわかり、また、除湿機能の終了時期が分かるに留まるものであり、その内部を積極的に見せる構成のものはなかった。
本発明は前記事情に鑑み案出されたものであって、本発明の目的は、使用者に除湿機能および除湿機能の終了時期を意識させることに加え、その内部を積極的に見せるようにし、面白さを与えると共に美観を高め、商品価値を高める上で有利な除湿剤容器を提供することにある。
【課題を解決するための手段】
【０００５】
上述の目的を達成するため、本発明は、少なくとも一部が透湿非透水材料で形成され残りの部分が非透水性材料で形成され、前記非透水性材料の一部に透明部分を有する容器本体と、前記容器本体の内部に収容された潮解性薬剤とを備える除湿剤容器であって、吸水することで体積が膨張する装飾体が、圧縮された状態で水溶性材料により包装され、前記容器本体の内部に収容されていることを特徴とする。
また、本発明は、少なくとも一部が透明な透湿非透水性シートにより形成された容器本体と、前記容器本体の内部に収容された潮解性薬剤とを備える除湿剤容器であって、吸水することで体積が膨張する装飾体が、圧縮された状態で水溶性材料により包装され、前記容器本体の内部に収容されていることを特徴とする。
また、本発明は、前記装飾体の比重は、前記潮解性薬剤が湿気を吸収して液状化された除湿水の比重以下であることを特徴とする。
また、本発明は、前記装飾体を包装する水溶性材料は、前記潮解性薬剤と同じ色で着色されていることを特徴とする。
また、本発明は、前記装飾体は、前記潮解性薬剤が湿気を吸収して液状化された除湿水に対して目立つ色で着色されていることを特徴とする。
また、本発明は、前記潮解性薬剤は粒状を呈していることを特徴とする。
また、本発明は、前記容器本体は、非透水性材料の透明フィルムで形成された正面部と、この正面部に対向し少なくとも一部が透湿非透水材料で形成された背面部と、非透水性材料で形成されそれら正面部と背面部との下部を接続する底面部とを有するスタンディングパウチ袋であり、圧縮された状態で水溶性材料により包装された前記装飾体は前記潮解性薬剤と共に前記容器本体の内部に収容されていることを特徴とする。
また、本発明は、前記容器本体は合成樹脂製で、上面開口部を有し前記潮解性薬剤を収容すると共に湿気を吸収することで前記潮解性薬剤が液状化された除湿水の下方への滴下を可能とした上収容部と、前記上面開口部を覆う透湿非透水性シートと、前記上収容部の下方に設けられ前記除湿水の収容を可能とした下収容部とを有し、圧縮された状態で水溶性材料により包装された前記装飾体は前記下収容部に収容されていることを特徴とする。
【発明の効果】
【０００６】
本発明によれば、除湿剤容器の使用時、装飾体を容器本体の内部に視認でき、除湿剤容器に面白さを与えると共に、容器本体の一部に容器本体の内部を積極的に見せる透明部分が設けられているため、あるいは、容器全体が透明となっているため、容器本体の外観をすっきりとさせることで除湿剤容器の美観を高める上でより有利となる。
また、容器本体の内部に装飾体を視認できることから、従来の除湿を行なうためのみの除湿剤容器とは全く異なった趣となり、置き場所を選ばずに使用でき、除湿剤容器の商品価値を高める上で有利となる。
また、本発明において装飾体の比重を、除湿水の比重と同じであるか、除湿水の比重よりも軽いものとすると、除湿水中で装飾体が浮遊することになり、面白さや美観を高める上で有利となる。
また、本発明において、装飾体を包装する水溶性材料を、潮解性薬剤と同じ色で着色しておくと、除湿剤容器の購入者は装飾体を見付けにくくなり、除湿剤容器の使用時、入っているとは思っていない装飾体を容器本体の内部に視認でき、除湿剤容器に面白さを与える上で有利となる。
また、本発明において、装飾体を除湿水に対して目立つ色で着色しておくと、除湿水中に装飾体が目立ち、除湿剤容器に面白さを与えると共に除湿剤容器の美観を高める上で有利となる。
また、本発明において、粒状の潮解性薬剤を用いると、圧縮された状態で水溶性材料により包装された装飾体を粒状の潮解性薬剤に混ぜて配置することで装飾体が見付けにくくなり、除湿剤容器の使用時、入っているとは思っていない装飾体を容器本体の内部に視認でき、除湿剤容器に面白さを与え、除湿剤容器の美観を高める有利となる。
また、本発明において、容器本体は、スタンディングパウチ袋や合成樹脂製容器など様々な構造の容器に簡単に適用される。
【図面の簡単な説明】
【０００７】
【図１】第１の実施の形態の説明図で、（Ａ）は市場流通時における除湿剤容器の正面図、（Ｂ）は同側面図である。
【図２】第１の実施の形態の説明図で、（Ａ）は底面部を展開させ容器本体を自立させた状態器の正面図、（Ｂ）は同側面図である。
【図３】第１の実施の形態の説明図で、（Ａ）は使用時における除湿剤容器の正面図、（Ｂ）は同側面図である。
【図４】第１の実施の形態の説明図で、（Ａ）は除湿機能終了時点における除湿剤容器の正面図、（Ｂ）は同側面図である。
【図５】第２の実施の形態の説明図で、（Ａ）は市場流通時における除湿剤容器の正面図、（Ｂ）は同側面図である。
【図６】第２の実施の形態の説明図で、（Ａ）は使用時における除湿剤容器の正面図、（Ｂ）は同側面図である。
【図７】第２の実施の形態の説明図で、（Ａ）は除湿機能終了時点における除湿剤容器の正面図、（Ｂ）は同側面図である。
【発明を実施するための形態】
【０００８】
（第１の実施の形態）
次に、本発明の実施の形態に係る除湿剤容器について説明する。
図１〜図４に示すように、第１の実施の形態に係る除湿剤容器１０Ａは、容器本体１２と、潮解性薬剤１４と、装飾体１６とを含んで構成されている。
容器本体１２は、非透水性材料である透明フィルム１１で形成された正面部１２０２と、この正面部１２０２に対向し少なくとも一部が透湿非透水材料で形成された背面部１２０４と、非透水性材料で形成されそれら正面部１２０２と背面部１２０４との下部を接続する底面部１２０６とを有している。
正面部１２０２と背面部１２０４は、本実施の形態では上下に縦長の長方形を呈している。
正面部１２０２の上部や、正面部１２０２の上縁、下縁、左右の縁に、色彩や模様を適宜付すなど任意である。
また、正面部１２０２の上部に、例えば、商品名などを記載し、下部の下端に会社名などを記載するなど任意である。
正面部１２０２の下部１２０２Ａは、すなわち、正面部１２０２の下半部１２０２Ａは、色彩や模様などが付されていてもよいが透明性が確保され、容器本体１２の内部を積極的に見せる構成としている。
【０００９】
背面部１２０４は、正面部１２０２と同一形状の上下に縦長の長方形を呈している。
本実施の形態では、正面部１２０２の全域は、透明フィルムで形成されている。透明フィルムとしては、具体的にはポリエチレンやポリプロピレン等のフィルム、これに更に他の高分子物質を加えて調製したフィルム、ラミネートフィルム等が挙げられる。
また、背面部１２０４の全域は、透湿非透水性シート１８で形成されている。透湿性非透水シートとしては、一般に透湿性非透水シートとして使用されている微多孔膜、例えばセルポア（積水化学(株)）、ＮＦシート（徳山曹達(株)）、ニトフロン （日東電工(株)）等の商品名で市販されているものや、ウレタンフィルムを使用することができる。
なお、市場流通時には、図には示していないが、除湿剤容器１０Aは非透湿性の容器内に、潮解性薬剤１４に湿気や水が接する事の無い状態に封入されている。
正面部１２０２と背面部１２０４とはそれらの下部を除いてそれらの周囲が接合されている。
底面部１２０６の周囲は正面部１２０２の下部の周囲と背面部１２０４の下部の周囲とに接合され、図１（Ａ）、（Ｂ）に示すように、底面部１２０６が正面部１２０２と背面部１２０４との間に凸状に折り畳まれることで容器本体１２がほぼ偏平形状となり、図２〜図４（Ａ）、（Ｂ）に示すように、底面部１２０６を展開させることで、容器本体１２は底面部１２０６を下に向けた状態で起立し自立可能となる。すなわち、容器本体１２はスタンディングパウチ袋である。
【００１０】
潮解性薬剤１４は、塩化カルシウム、塩化カリウム、塩化マグネシウム、硫酸マンガン、クエン酸、炭酸カリウム、水酸化ナトリウム、水酸化カルシウム、十酸化四リン、リン酸などの潮解性塩類で構成されている。
潮解性薬剤１４は、空気中の水分を吸収し、液状化して除湿水となる。
固形状、粒状、粉状、ゲル状など潮解性薬剤１４の形態は本発明では任意であるが、本実施の形態では粒状の潮解性薬剤１４を用いている。
このように粒状の潮解性薬剤１４を用いることにより、圧縮された状態で水溶性材料により包装された装飾体１６を粒状の潮解性薬剤１４に混ぜて配置することができ、このような装飾体１６の配置構造により見付けにくくしており、除湿剤容器１０Ａの使用時、入っているとは思っていない装飾体１６を容器本体１２の内部に視認でき、除湿剤容器１０Ａに面白さを与え、除湿剤容器１０Ａの美観を高める上で有利となる。
【００１１】
装飾体１６は、吸水することで体積が膨張する材料で形成され、圧縮された状態で水溶性包装材などの水溶性材料２２により包装され、容器本体１２の内部空間に潮解性薬剤１４と共に収容されている。
なお、圧縮された状態で水溶性材料２２により包装されるとは、水溶性材料２２からなるカプセルに、圧縮された状態の装飾体１６が収容された状態を含む。
なお、装飾体１６を包装する水溶性材料２２を、潮解性薬剤１４と同じ色で着色しておくと、除湿剤容器１０Ａの購入者は装飾体１６を見付けにくくなり、除湿剤容器１０Ａの使用時、入っているとは思っていない装飾体１６を容器本体１２の内部に視認できることから、除湿剤容器１０Ａに面白さを与える上で有利となる。
このような装飾体１６を構成する吸水することで体積が膨張する材料として、例えば、スポンジや吸水性ポリマーなどが挙げられる。
吸水することで体積が膨張した装飾体１６の形状は、魚、亀、イルカ、人魚、各種のキャラクターなど任意であり、例えば、正面部１２０２に施される模様に合わせて装飾体１６に施す色彩を決定するなど任意である。この場合、装飾体１６を赤色、黄色など除湿水２４に対して目立つ色で着色しておくと、除湿水２４中に装飾体１６が目立ち、除湿剤容器１０Ａに面白さを与えると共に除湿剤容器１０Ａの美観を高める上で有利となる。
【００１２】
また、装飾体１６の比重は、除湿水２４の比重よりも大きくてもよいが、除湿水２４の比重と同じであるか、除湿水２４の比重よりも軽いものにすると、除湿水２４中で装飾体１６が浮遊することになり、面白さや美観を高める上で有利となる。
また、本実施の形態では、装飾体１６の数を一つとしているが、装飾体１６を複数設けるなど任意である。
さらに、装飾体１６の大きさは、除湿水２４が収容される大きさに応じて適宜決定される。本実施の形態では、潮解性薬剤１４が多数の粒状物で構成されていることから、装飾体１６の大きさは一つの粒状物の複数倍から数十倍の大きさとしている。
【００１３】
次に、除湿剤容器１０Ａの使用方法について説明する。
図１（Ａ）、（Ｂ）に示すように、底面部１２０６が正面部１２０２と背面部１２０４との間に凸状に折り畳まれ、容器本体１２がほぼ偏平形状となり、非透湿性の容器に封入され、除湿剤容器１０Ａは市場に流通される。
図２（Ａ）、（Ｂ）に示すように、除湿剤容器１０Ａの購入者は、使用時、非透湿性の容器から除湿剤容器１０Ａを取り出し、底面部１２０６を展開させ、除湿をすべき箇所に、底面部１２０６を下に向けて自立させる。
図３（Ａ）、（Ｂ）に示すように、除湿剤容器１０Ａの起立状態で、透湿非透水性シート１８を介して潮解性薬剤１４が湿気を吸収するにつれて液状化し、除湿水２４となり、除湿水２４が装飾体１６の水溶性材料２２に触れた時点で水溶性材料２２が溶け、装飾体１６が水分を吸収して膨張する。
そして、除湿水２４の増加に伴って除湿水２４がある程度溜まった時点で、装飾体１６が除湿水２４中を浮遊し、この装飾体１６の浮遊は正面部１２０２の下半部１２０２Ａから確実に視認される。
潮解性薬剤１４は除湿水２４中に浸漬し、水中に浸漬した潮解性薬剤１４は透湿非透水性シート１８を介して湿気を吸収し、やがて、図４（Ａ）、（Ｂ）に示すように、すべての潮解性薬剤１４が液状化して除湿水２４となる。
【００１４】
したがって、本実施の形態の除湿剤容器１０Ａによれば、除湿水２４を見ることで、除湿が行なわれていることがわかる。
また、除湿水２４中に浸漬している粒状の潮解性薬剤１４を視認することで、除湿機能が発揮されている状態であることがわかり、潮解性薬剤１４が無くなった時点で除湿剤の交換時期がわかる。
また、装飾体１６を視認することで、除湿剤容器１０Ａに面白さが与えられると共に除湿剤容器１０Ａの美観が高められ、除湿剤容器１０Ａの商品価値を高める上で有利となる。
【００１５】
また、装飾体１６は当初圧縮された状態で水溶性材料２２により包装されており、しかも、粒状の潮解性薬剤１４に混ざって配置されているので、除湿剤容器１０Ａの購入時、購入者は装飾体１６を見付けにくく、装飾体１６が入っていると思わない。
そのため、入っているとは思っていない装飾体１６を正面部１２０２の下半部１２０２Ａから容器本体１２の内部に視認でき、除湿剤容器１０Ａに面白さを与えると共に、容器本体１２の一部である下半部１２０２Ａが容器本体１２の内部を積極的に見せる透明部分となっているため、容器本体１２の外観をすっきりとさせることで除湿剤容器１０Ａの美観を高める上でより有利となる。
また、容器本体１２の内部で装飾体１６を視認できることから、従来の除湿を行なうためのみの除湿剤容器とは全く異なった趣となり、置き場所を選ばずに使用でき、除湿剤容器１０Ａの商品価値を高める上でより有利となる。
この場合、例えば、装飾体１６を包装する水溶性材料２２を、潮解性薬剤１４と同じ色で着色しておくと、除湿剤容器１０Ａの購入時、購入者は装飾体１６をより見付けにくくなり、入っているとは思っていない装飾体１６を容器本体１２の内部に視認できることから、除湿剤容器１０Ａに面白さを与える上で有利となる。
また、装飾体１６を赤色、黄色など除湿水２４に対して目立つ色で着色しておくと、除湿水２４中で装飾体１６が目立ち、除湿剤容器１０Ａに面白さを与えると共に除湿剤容器１０Ａの美観を高める上でより有利となり、除湿剤容器１０Ａの商品価値を高める上でより有利となる。
【００１６】
（第２の実施の形態）
次に、図５〜図７を参照して第２の形態に係る除湿剤容器１０Ｂについて説明する。
なお、以下の実施の形態の説明では、第１の実施の形態と同様な箇所、部材に同一の符号を付してその説明を省略し、異なった箇所を重点的に説明する。
第２の実施の形態に係る除湿剤容器１０Ｂは、容器本体２６が第１の実施の形態と異なっており、潮解性薬剤１４と装飾体１６については第１の実施の形態と同様である。
容器本体２６は合成樹脂製の容器であり、したがって非透水性材料で形成されている。
図５（Ａ）、（Ｂ）に示すように、容器本体２６は、潮解性薬剤１４が収容される上収容部２８と、装飾体１６および除湿水２４が収容される下収容部３０とを有し、平面視長方形であり、水平面で切断した断面形状が下方に至るにつれて次第に小さくなる形状で形成されている。
【００１７】
上収容部２８は、枠状のフランジ２８０２で囲まれた上面開口部２８０４と、枠状のフランジ２８０２の内側端の周囲全周から下方に延在する側面部２８０６と、側面部２８０６の下端に設けられた底板２８０８とを有している。
なお、側面部２８０６は、内部の粒状の潮解性薬剤１４を視認できるように、透明か半透明であることが好ましい。
本実施の形態では、側面部２８０６の内面の下端全周から凸部２８１０が突設され、底板２８０８はその周囲が凸部２８１０に載置されて配設されている。
底板２８０８には複数の溝２８１２が形成され、溝２８１２の幅は、潮解性薬剤１４を構成する一つの粒状物の直径よりも小さく形成され、したがって、上収容部２８は、粒状の潮解性薬剤１４を収容すると共に湿気を吸収することで潮解性薬剤１４が液状化された除湿水２４の下方への滴下を可能に形成されている。
枠状のフランジ２８０２には透湿性非透水シート１８が貼られ、上面開口部２８０４は透湿性非透水シート１８で閉塞されている。なお、市場流通時には、透湿非透水性シート１８の上に非透湿性フィルム２０が剥離可能に貼られる。
【００１８】
下収容部３０は上収容部２８の下方に設けられ、側面部２８０６の下方に連続した設けられた側面部３００２と、側面部３００２の下端を接続する底面部３００４とを有している。
底面部３００４は、容器本体２６の安定性を高めるため、長方形の底面部３００４の周囲の箇所３００４Ａまたは各角部が最も下位に位置し、長方形の底面部３００４の周囲の内側の残りの箇所３００４Ｂまたは各角部を除いた残りの箇所は、容器本体２６が被載置面に載置された状態で被載置面から上方に離れた箇所に位置するように設けられている。
圧縮された状態で水溶性材料２２により包装された装飾体１６は下収容部３０に収容されている。
なお、側面部３００２は、装飾体１６が視認できるように透明であることが好ましい。
【００１９】
次に、除湿剤容器１０Ｂの使用方法について説明する。
図５（Ａ）、（Ｂ）に示すように、透湿性非透水シート１８の上に非透湿性フィルム２０が剥離可能に貼られ、除湿剤容器１０Ｂは市場に流通される。
除湿剤容器１０Ｂの購入者は、非透湿性フィルム２０を剥がして透湿性非透水シート１８を露出させ、容器本体２６の底面部３００４を、除湿すべき箇所に載置する。
図６（Ａ）、（Ｂ）に示すように、上収容部２８において、透湿性非透水シート１８を介して潮解性薬剤１４が湿気を吸収するにつれて液状化し、除湿水２４となり、この除湿水２４は下収容部３０に収容される。
下収容部３０において、除湿水２４が装飾体１６の包装材に触れた時点で水溶性材料２２が溶け、装飾体１６が水分を吸収して膨張する。
そして、除湿水２４の増加に伴って除湿水２４がある程度溜まった時点で、装飾体１６が除湿水２４中を浮遊する。
図７（Ａ）、（Ｂ）に示すように、上収容部２８においてすべての潮解性薬剤１４が液状化して除湿水２４となった時点で除湿剤の交換時期がわかる。
【００２０】
したがって、本実施の形態の除湿剤容器１０Ｂによれば、除湿水２４を見ることで、除湿が行なわれていることがわかる。
また、上収容部２８に収容された潮解性薬剤１４を視認することで、除湿機能が発揮されている状態であることがわかり、潮解性薬剤１４が無くなった時点で除湿剤の交換時期がわかる。
また、下収容部３０において装飾体１６を視認することで、除湿剤容器１０Ｂに面白さが与えられると共に容器本体２６の下収容部３０に容器本体２６の内部を積極的に見せる透明部分が設けられているため、容器本体２６の外観をすっきりとさせることで除湿剤容器１０Ｂの美観が高められる。
また、容器本体２６の内部で装飾体１６を視認できることから、従来の除湿を行なうためのみの除湿剤容器とは全く異なった趣となり、置き場所を選ばずに使用でき、除湿剤容器１０Ｂの商品価値を高める上でより有利となる。
また、装飾体１６は当初圧縮された状態で水溶性材料２２により包装されており、除湿剤容器１０Ｂの購入時、購入者は装飾体１６を見付けにくく、装飾体１６が入っていると思わないので、除湿剤容器１０Ｂに面白さを与えると共に除湿剤容器１０Ｂの美観を高める上でより有利となり、除湿剤容器１０Ｂの商品価値を高める上でより有利となる。
【００２１】
したがって、第２の実施の形態によっても第１の実施の形態と同様な効果が奏される。
この場合も、第１の実施の形態と同様に、例えば、装飾体１６を包装する水溶性材料２２を、潮解性薬剤１４と同じ色で着色しておくと、除湿剤容器１０Ｂの購入時、購入者は装飾体１６をより見付けにくくなり、また、装飾体１６を赤色、黄色など除湿水２４に対して目立つ色で着色しておくと、除湿剤容器１０Ｂに面白さを与えると共に除湿剤容器１０Ｂの美観を高める上でより有利となり、除湿剤容器１０Ｂの商品価値を高める上でより有利となる。
【００２２】
なお、容器本体の形態が第１の実施の形態と第２の実施の形態との２つの形態について本発明を適用した場合について説明したが、本発明は、潮解性薬剤１４を用い、潮解性薬剤１４を除湿水２４として溜める従来公知の様々な形状の容器本体に本発明は適用される。
例えば、透湿非透水性シートとして透明なウレタンフィルムなどを用い、この透明な透湿非透水性シートにより容器本体の全体を構成し、容器本体の内部空間に潮解性薬剤と、水溶性材料により圧縮された状態で包装され吸水することで体積が膨張する装飾体とを収容するようにしてもよく、このような容器本体を有する除湿剤容器によっても第１、第２の実施の形態と同様な効果が奏される。
この場合、容器本体の全体を透明としてもよく、あるいは、容器本体の一部を着色し不透明としてもよく、あるいは、一部を透明な透湿非透水性シートで形成し残りの部分を非透水性材料により形成するなど任意である。
【符号の説明】
【００２３】
１０Ａ、１０Ｂ  除湿剤容器
１１  透明フィルム
１２  容器本体
１２０２  正面部
１２０４  背面部
１２０６  底面部
１４  潮解性薬剤
１６  装飾体
１８  透湿非透水性シート
２２  水溶性材料
２４  除湿水
２６  容器本体
２８  上収容部
２８０４  上面開口部
３０  下収容部
【図１】
2019188359.tif 000003
【図２】
2019188359.tif 000004
【図３】
2019188359.tif 000005
【図４】
2019188359.tif 000006
【図５】
2019188359.tif 000007
【図６】
2019188359.tif 000008
【図７】
2019188359.tif 000009